(57)【要約】【課題】ＩＤカードのカード情報と予め登録されたユーザー情報とを紐付けるカード登録処理を、ユーザーの手間を省いて実行できること。【解決手段】画像データ処理部５ｅは、読取データから検索キー情報を抽出する検索キー抽出処理を実行する。登録要求部５ｆは、カード情報および前記検索キー情報を含むコマンドをサーバー装置８へ送信し、さらに応答を受信する登録要求処理を実行する。条件設定部５ｇは、前記画像データ処理部５ｅが前記検索キー情報の抽出に失敗した場合、または、前記登録要求部５ｆが登録失敗を示す応答を受信した場合に、検索キー抽出処理のリトライ条件を設定する。前記画像データ処理部５ｅは、前記リトライ条件に従って前記検索キー抽出処理をさらに実行する。前記登録要求部５ｆは、前記リトライ条件に従った前記検索キー抽出処理により得られる前記検索キー情報に基づく前記登録要求処理をさらに実行する。【選択図】図１
2019054371.tif 000002
【特許請求の範囲】
【請求項１】
ユーザーの操作を受け付ける操作装置と、
情報を表示する表示装置と、
予め複数のユーザー情報を記憶するサーバー装置と通信可能な通信装置と、
カード情報が電子データまたは磁気データとして記録されているＩＤカードから前記カード情報を読み出すカードアクセス装置と、
前記ＩＤカードの表面から画像を読み取り、読取画像を表す読取データを出力するカード画像読取処理を実行する画像読取装置と、
前記読取データに処理を施し、処理結果に基づいて前記通信装置を通じた前記サーバー装置とのデータ通信を行うプロセッサーと、を備え、
前記プロセッサーは、
前記読取データから検索キー情報を抽出する検索キー抽出処理を実行する画像データ処理部と、
前記カード情報および前記検索キー情報を含み、前記カード情報を前記複数のユーザー情報のうちの前記検索キー情報に対応する１つに対応づけるカード登録を要求するコマンドを前記サーバー装置へ送信し、さらに前記サーバー装置から登録成否の応答を受信する登録要求処理を実行する登録要求部と、
前記画像データ処理部が前記検索キー情報の抽出に失敗した場合、または、前記登録要求部が前記カード登録の失敗を示す応答を前記サーバー装置から受信した場合に、予め定められた案内画面を前記表示装置に表示させ、前記操作装置に対する操作に従って前記検索キー抽出処理のリトライ条件を設定する条件設定部と、を含み、
前記画像データ処理部は、前記リトライ条件に従って前記検索キー抽出処理をさらに実行し、
前記登録要求部は、前記リトライ条件に従った前記検索キー抽出処理により得られる前記検索キー情報に基づく前記登録要求処理をさらに実行する、画像処理装置。
【請求項２】
前記条件設定部は、前記読取画像を含む前記案内画面を前記表示装置に表示させ、さらに前記操作装置に対する操作に応じて前記読取画像の一部の指定領域を前記リトライ条件として設定可能であり、
前記画像データ処理部は、前記読取データから前記指定領域内の画像のみを対象に前記検索キー情報を抽出する、請求項１に記載の画像処理装置。
【請求項３】
前記条件設定部は、前記操作装置に対する操作に応じて予め定められた複数の候補の中から前記検索キー情報の種類を選択し、
前記画像データ処理部は、前記読取データから、選択された種類の前記検索キー情報を抽出する、請求項１または請求項２に記載の画像処理装置。
【請求項４】
前記検索キー情報の種類の前記複数の候補は、文字列および署名画像を含む、請求項３に記載の画像処理装置。
【請求項５】
前記条件設定部は、前記カード画像読取処理の対象となった前記ＩＤカードの第１面に対し反対側の第２面から画像を読み取ることを示す裏面読取条件を前記リトライ条件として設定可能であり、
前記裏面読取条件が設定された場合に、
前記画像読取装置は、前記カード画像読取処理を再実行し、
前記画像データ処理部は、前記カード画像読取処理の再実行により得られる前記読取データについて前記検索キー抽出処理を実行する、請求項１から請求項４のいずれか１項に記載の画像処理装置。
【請求項６】
前記プロセッサーは、
前記カードアクセス装置により前記ＩＤカードから読み出された前記カード情報を含む認証要求のコマンドを前記サーバー装置へ送信し、さらに前記サーバー装置から認証結果の応答を受信する認証要求処理を実行する認証要求部と、
前記認証要求部が認証成功を示す応答を前記サーバー装置から受信した場合にのみ、当該画像処理装置によるジョブの実行を許容する認証制御部と、
前記認証要求部が前記カード情報の未登録を示す応答を前記サーバー装置から受信した場合に、前記カード画像読取処理の開始操作を促すメッセージを前記表示装置に表示させるメッセージ出力処理を実行するメッセージ出力部と、をさらに含み、
前記メッセージ出力処理が行われた後に、前記操作装置に対する前記開始操作に応じて、前記画像読取装置が前記カード画像読取処理を実行し、さらに前記画像データ処理部が前記検索キー抽出処理を実行し、さらに前記登録要求部が前記登録要求処理を実行する、請求項１から請求項５のいずれか１項に記載の画像処理装置。
【発明の詳細な説明】
【技術分野】
【０００１】
本発明は、ＩＤカードの情報の登録を容易にする画像処理装置に関する。
【背景技術】
【０００２】
一般に、複写機または複合機などの画像処理装置が、ＩＤカードからカード情報を読み取り、前記カード情報に基づく認証が成功した場合にのみ、ジョブの実行を許容することが知られている。
【０００３】
また、ＩＣカードの情報が未登録である場合に、前記画像処理装置が、ユーザー情報の入力画面を表示装置に表示させ、入力情報に基づいて前記ＩＣカードの登録処理を実行することが知られている（例えば、特許文献１参照）。なお、前記ＩＣカードは前記ＩＤカードの一例である。
【先行技術文献】
【特許文献】
【０００４】
【特許文献１】特開２０１２−１９６８２６号公報
【発明の概要】
【発明が解決しようとする課題】
【０００５】
ところで、ユーザーにとって、前記ＩＤカードの登録のために前記ユーザー情報を手入力することは手間である。
【０００６】
本発明の目的は、ＩＤカードのカード情報と予め登録されたユーザー情報とを紐付けるカード登録処理を、ユーザーの手間を省いて実行できる画像処理装置を提供することにある。
【課題を解決するための手段】
【０００７】
本発明の一の局面に係る画像処理装置は、操作装置と、表示装置と、通信装置と、カードアクセス装置と、画像読取装置と、プロセッサーと、を備える。前記操作装置は、ユーザーの操作を受け付ける。前記表示装置は、情報を表示する。前記通信装置は、予め複数のユーザー情報を記憶するサーバー装置と通信可能である。前記カードアクセス装置は、カード情報が電子データまたは磁気データとして記録されているＩＤカードから前記カード情報を読み出す。前記画像読取装置は、前記ＩＤカードの表面から画像を読み取り、読取画像を表す読取データを出力するカード画像読取処理を実行する。前記プロセッサーは、前記読取データに処理を施し、処理結果に基づいて前記通信装置を通じた前記サーバー装置とのデータ通信を行う。前記プロセッサーは、画像データ処理部と、登録要求部と、条件設定部と、を含む。前記画像データ処理部は、前記読取データから検索キー情報を抽出する検索キー抽出処理を実行する。前記登録要求部は、前記カード情報および前記検索キー情報を含み、前記カード情報を前記複数のユーザー情報のうちの前記検索キー情報に対応する１つに対応づけるカード登録を要求するコマンドを前記サーバー装置へ送信し、さらに前記サーバー装置から登録成否の応答を受信する登録要求処理を実行する。前記条件設定部は、前記画像データ処理部が前記検索キー情報の抽出に失敗した場合、または、前記登録要求部が前記カード登録の失敗を示す応答を前記サーバー装置から受信した場合に、予め定められた案内画面を前記表示装置に表示させ、前記操作装置に対する操作に従って前記検索キー抽出処理のリトライ条件を設定する。前記画像データ処理部は、前記リトライ条件に従って前記検索キー抽出処理をさらに実行する。前記登録要求部は、前記リトライ条件に従った前記検索キー抽出処理により得られる前記検索キー情報に基づく前記登録要求処理をさらに実行する。
【発明の効果】
【０００８】
本発明によれば、ＩＤカードのカード情報と予め登録されたユーザー情報とを紐付けるカード登録処理を、ユーザーの手間を省いて実行できる画像処理装置を提供することが可能になる。
【図面の簡単な説明】
【０００９】
【図１】図１は、実施形態に係る画像処理装置のブロック図である。
【図２】図２は、実施形態に係る画像処理装置におけるカード認証処理の手順の一例を示すフローチャートである。
【図３】図３は、実施形態に係る画像処理装置におけるカード登録処理の手順の一例を示すフローチャートである。
【図４】図４は、実施形態に係る画像処理装置におけるカード登録の案内画面の一例を示す図である。
【図５】図５は、実施形態に係る画像処理装置におけるリトライ案内画面の一例を示す図である。
【発明を実施するための形態】
【００１０】
以下、添付図面を参照しながら、本発明の実施形態について説明する。なお、以下の実施形態は、本発明を具体化した一例であって、本発明の技術的範囲を限定する性格を有さない。
【００１１】
［画像処理装置１０の構成］
図１に示されるように、実施形態に係る画像処理装置１０は、画像読取装置１、ユーザーインターフェイス装置３、二次記憶装置４、ＣＰＵ（Central Processing Unit）５、ＲＡＭ（Random Access Memory）５０、通信装置６およびカードリーダー７を備える。
【００１２】
本実施形態において、画像処理装置１０は画像形成装置２をさらに備える。例えば、画像処理装置１０が、複写機または複写機能を有する複合機などであることが考えられる。
【００１３】
画像処理装置１０は、シート９２に画像を形成する印刷処理および原稿９１から画像を読み取る画像読取処理などの画像処理に関するジョブを実行可能である。例えば、前記ジョブは、複写ジョブおよび画像転送ジョブの一方または両方を含む。
【００１４】
前記複写ジョブは、前記画像読取処理と、前記画像読取処理により得られる画像データに基づく前記印刷処理とを含む。前記画像転送ジョブは、前記画像読取処理と、前記画像読取処理により得られる画像データを他装置へ送信するデータ送信処理とを含む。
【００１５】
画像読取装置１は、原稿９１の画像を読み取る読取処理を実行する装置である。画像読取装置１は、原稿台１ａ、光源１ｂ、走査機構１ｃ、イメージセンサー１ｄおよびＡＦＥ（Analog Front End）１ｅなどを備える。
【００１６】
原稿台１ａは、原稿９１が載置される透明な板である。光源１ｂは、原稿台１ａ上の原稿９１に対して光を出射する。
【００１７】
走査機構１ｃは、光源１ｂの光を原稿９１に対して走査させる。例えば、走査機構１ｃは、光源１ｂを原稿台１ａに沿って移動させる機構である。
【００１８】
イメージセンサー１ｄは、原稿９１からの反射光を受光し、受光量の検出信号を画像信号として出力する。ＡＦＥ（１ｅ）は、前記画像信号をデジタルの画像データへ変換する。以下の説明において、画像読取装置１の前記読取処理によって原稿９１から読み取られた画像のことを読取画像と称する。
【００１９】
画像形成装置２は、シート９２に画像を形成する印刷処理を実行する。画像形成装置２は、いわゆるプリンターである。例えば、画像形成装置２は、電子写真方式またはインクジェット方式で前記印刷処理を実行する。
【００２０】
画像形成装置２は、前記読取画像のデータまたは通信装置６を通じて前記他装置から受信した受信印刷データに基づいて前記印刷処理を実行可能である。
【００２１】
ユーザーインターフェイス装置３は、操作装置３ａおよび表示装置３ｂを含む。操作装置３ａは、ユーザーの操作を受け付ける装置であり、例えばタッチパネルを含む。表示装置３ｂは、情報を表示可能な液晶パネルなどの表示パネルを含む。
【００２２】
通信装置６は、ＬＡＮ（Local Area Network）などのネットワーク８０を通じて他装置との間で通信可能な通信インターフェイスデバイスである。本実施形態において、前記他装置は、計算機であるサーバー８を含む。
【００２３】
サーバー８は、コンピューター読取可能な不揮発性の記憶装置８１を備える。記憶装置８１は、予め複数のユーザー情報Ｄｕ０を記憶している。サーバー８は、予め複数のユーザー情報Ｄｕ０を記憶するサーバー装置の一例である。
【００２４】
例えば、ユーザー情報Ｄｕ０各々は、名前、従業員番号、電話番号、メールアドレス、所属部門または署名画像など、ユーザーを特定する情報を含む。前記署名画像は、例えばユーザーの手書き署名の画像である。
【００２５】
サーバー８は、ネットワーク８０を通じて画像処理装置１０と通信可能である。ＣＰＵ５は、前記他装置との間のデータの送信および受信の全てを、通信装置６を通じて行う。
【００２６】
二次記憶装置４は、コンピューター読み取り可能な不揮発性の記憶装置である。二次記憶装置４は、プログラムおよび各種のデータを記憶可能である。例えば、ハードディスクドライブおよびＳＳＤ（Solid State Drive）の一方または両方の組合せが、二次記憶装置４として採用される。
【００２７】
ＣＰＵ５は、各種の演算、データ処理および画像処理装置１０が備える各種の電気機器の制御を実行する。ＣＰＵ５は、画像読取装置１、画像形成装置２、ユーザーインターフェイス装置３および通信装置６との間でデータおよび制御信号の受け渡しが可能である。
【００２８】
ＣＰＵ５は、二次記憶装置４などに記憶されたプログラムを実行することにより、画像読取装置１、画像形成装置２、ユーザーインターフェイス装置３および通信装置６を制御するプロセッサーである。
【００２９】
例えば、ＣＰＵ５は、画像読取装置１を通じて得られる前記読取データに処理を施し、処理結果に基づいて通信装置６を通じたサーバー８とのデータ通信を行う。
【００３０】
なお、ＤＳＰ（Digital Signal Processor）などの他のプロセッサーが、ＣＰＵ５の代わりに採用されることも考えられる。
【００３１】
ＲＡＭ５０は、ＣＰＵ５が実行する前記プログラムおよびＣＰＵ５が前記プログラムを実行する過程で出力および参照するデータを一次記憶する揮発性の記憶装置である。
【００３２】
カードリーダー７は、ＩＤカード９０からカードＩＤ９００を読み出すカードアクセス装置の一例である。カードＩＤ９００は、電子データまたは磁気データとしてＩＤカード９０に記録されている。カードＩＤ９００は、ＩＤカード９０を識別する情報である。
【００３３】
例えば、ＩＤカード９０が、カードＩＤ９００が電子データとして記録されたＲＦＩＤ（Radio Frequency Identifier）タグを内蔵するＩＣカードであることが考えられる。また、ＩＤカード９０が、カードＩＤ９００が磁気データとして記録されている磁気カードであることも考えられる。
【００３４】
ＩＤカード９０がＲＦＩＤタグを内蔵する前記ＩＣカードである場合、カードリーダー７は、ＲＦＩＤリーダーである。ＩＤカード９０が前記磁気カードである場合、カードリーダー７は磁気カードリーダーである。
【００３５】
サーバー８は、カードＩＤ９００を含む認証要求のコマンドを画像処理装置１０から受信する。さらに、サーバー８は、受信したカードＩＤ９００に基づくＩＤ確認処理およびＩＤ認証処理を実行する。
【００３６】
前記ＩＤ確認処理は、前記認証要求のコマンドに含まれるカードＩＤ９００が予め定められた既定様式を満たすか否かを判定し、カードＩＤ９００が前記既定様式を満たさない場合に、様式エラーを前記認証要求のコマンドの送信元へ通知する処理である。
【００３７】
前記ＩＤ認証処理は、前記認証要求に含まれるカードＩＤ９００が前記既定様式を満たすと判定された場合に実行される。
【００３８】
前記ＩＤ認証処理において、サーバー８は、カードＩＤ９００が予め記憶装置８１に記憶された複数のユーザー情報Ｄｕ０のいずれかと対応付けられているか否かを判定する。さらに、サーバー８は、カードＩＤ９００がユーザー情報Ｄｕ０と対応付けられていると判定した場合に、認証成功の旨を前記認証要求の送信元へ応答し、そうでない場合に、カード未登録の旨を前記認証要求のコマンドの送信元へ応答する。
【００３９】
後述するように、ＣＰＵ５は、ＩＤカード９０からカードリーダー７を通じてカードＩＤ９００を取得し、取得したカードＩＤ９００に基づく前記認証要求のコマンドをサーバー８へ送信する。そして、ＣＰＵ５は、サーバー８から前記認証成功の旨の応答を受信した場合にのみ、前記ジョブの実行を許容する。
【００４０】
ところで、ユーザーにとって、ＩＤカード９０の登録のために、操作装置３ａを通じてユーザー情報Ｄｕ０を手入力することは手間である。
【００４１】
画像処理装置１０において、ＣＰＵ５は、後述するカード登録処理を実行する。前記カード登録処理は、ＩＤカード９０のカードＩＤ９００と予めサーバー８に登録されたユーザー情報Ｄｕ０の１つとを紐付ける処理である。これにより、画像処理装置１０は、前記カード登録処理を前記ユーザーの手間を省いて実行できる。
【００４２】
本実施形態において、ＣＰＵ５は、まず、カードＩＤ９００に基づくカード認証処理を実行する。そして、前記カード認証処理により、ＩＤカード９０が未登録のカードであることが判明した場合に、ＣＰＵ５は、前記カード登録処理を実行する。
【００４３】
ＣＰＵ５は、二次記憶装置４に予め記憶されたプログラムを実行することにより、読取制御部５ａ、認証要求部５ｂ、認証制御部５ｃ、メッセージ出力部５ｄ、画像データ処理部５ｅ、登録要求部５ｆおよび条件設定部５ｇとして動作する。
【００４４】
即ち、ＣＰＵ５は、読取制御部５ａ、認証要求部５ｂ、認証制御部５ｃ、メッセージ出力部５ｄ、画像データ処理部５ｅ、登録要求部５ｆおよび条件設定部５ｇを含む。
【００４５】
［ユーザー認証処理］
以下、図２に示されるフローチャートを参照しつつ、前記カード認証処理の手順の一例について説明する。
【００４６】
カードリーダー７が、ＩＤカード９０を検出し、さらに、ＩＤカード９０からカードＩＤ９００を読み出したときに、認証要求部５ｂが、前記カード認証処理を開始させる。以下の説明において、Ｓ１０１，Ｓ１０２，…は、前記カード認証処理における複数の工程の識別符号を表す。
【００４７】
＜工程Ｓ１０１＞
前記ユーザー認証処理において、認証要求部５ｂは、カードリーダー７によってＩＤカード９０から読み取られたカードＩＤ９００を取得する。
【００４８】
＜工程Ｓ１０２＞
さらに、認証要求部５ｂは、認証要求処理を実行する。前記認証要求処理は、カードリーダー７によりＩＤカード９０から読み出されたカードＩＤ９００を含む前記認証要求のコマンドをサーバー８へ送信し、さらにサーバー８から認証結果の応答を受信する。
【００４９】
認証要求部５ｂは、サーバー８から前記認証成功の旨の応答を受信した場合、処理を工程Ｓ１０３へ移行させる。また、認証要求部５ｂは、サーバー８から前記様式エラーの旨の応答を受信した場合に、処理を工程Ｓ１０４へ移行させる。また、認証要求部５ｂは、サーバー８から前記カード未登録の旨の応答を受信した場合に、処理を工程Ｓ１０５へ移行させる。
【００５０】
なお、前記カード未登録の旨の応答は、前記認証要求のコマンドに含められたカードＩＤ９００の未登録を示す応答の一例である。
【００５１】
＜工程Ｓ１０３＞
工程Ｓ１０３において、認証制御部５ｃが、画像処理装置１０の動作モードをジョブ許容モードへ移行させる。その後、認証制御部５ｃは、前記ユーザー認証処理を終了させる。これにより、画像処理装置１０は、操作装置３ａに対するジョブ指定操作およびジョブ開始操作に応じて、指定された前記ジョブを実行する。
【００５２】
なお、画像処理装置１０の前記動作モードのデフォルト状態はジョブ禁止モードである。前記ジョブ禁止モードにおいて、画像処理装置１０は、操作装置３ａに対する前記ジョブ指定操作および前記ジョブ開始操作に応じてエラーを通知し、指定された前記ジョブを実行しない。
【００５３】
＜工程Ｓ１０４＞
工程Ｓ１０４において、認証制御部５ｃは、表示装置３ｂに認証エラーのメッセージを表示装置３ｂに表示させる。その後、認証制御部５ｃは、前記ユーザー認証処理を終了させる。これにより、画像処理装置１０は、操作装置３ａに対して前記ジョブ指定操作および前記ジョブ開始操作が行われても指定された前記ジョブを実行しない。
【００５４】
＜工程Ｓ１０５＞
工程Ｓ１０５において、認証制御部５ｃは、前記カード登録処理を開始させる。さらに、認証制御部５ｃは、前記カード登録処理の結果が登録成功であれば、処理を工程Ｓ１０３へ移行させる。これにより、画像処理装置１０の前記動作モードが前記ジョブ許容モードへ移行される（Ｓ１０３）。
【００５５】
一方、認証制御部５ｃは、前記カード登録処理の結果が登録失敗であれば、前記ユーザー認証処理を終了させる。これにより、画像処理装置１０の前記動作モードが前記ジョブ禁止モードに維持される。
【００５６】
以上に示されるように、認証制御部５ｃは、認証要求部５ｂが認証成功を示す応答をサーバー８から受信した場合にのみ、画像処理装置１０による前記ジョブの実行を許容する（図２の工程Ｓ１０３）。
【００５７】
［カード登録処理］
次に、図３に示されるフローチャートを参照しつつ、前記カード登録処理の手順の一例について説明する。以下の説明において、Ｓ２０１，Ｓ２０２，…は、前記カード登録処理における複数の工程の識別符号を表す。
【００５８】
＜工程Ｓ２０１＞
前記カード登録処理において、メッセージ出力部５ｄが、メッセージ出力処理を実行する。この工程Ｓ２０１の処理は、認証要求部５ｂがカードＩＤ９００の未登録を示す応答をサーバー８から受信した場合に実行される。
【００５９】
前記メッセージ出力処理は、カード画像読取処理の開始操作を促すメッセージｇ１１を含むカード登録案内画面ｇ１を表示装置３ｂに表示させる処理である（図４参照）。
【００６０】
前記カード画像読取処理は、ＩＤカード９０の表面から画像を読み取り、読取画像ｇ２１を表す読取データを出力する画像読取装置１の処理である（図５参照）。
【００６１】
前記カード画像読取処理の開始操作は、ＩＤカード９０が原稿台１ａ上に載置された状態で行われる。図４に示される例では、カード登録案内画面ｇ１に含まれるスキャンアイコンｇ１２に対する操作が、前記カード画像読取処理の開始操作である。
【００６２】
＜工程Ｓ２０２＞
続いて、読取制御部５ａが、操作装置３ａに対して前記カード画像読取処理の開始操作が行われるか否かを判定する。
【００６３】
例えば、カード登録案内画面ｇ１が表示装置３ｂに表示されてから予め定められた期間が経過するまでに、カード登録案内画面ｇ１に含まれるスキャンアイコンｇ１２に対する操作が行われない場合、または、カード登録案内画面ｇ１に含まれる中止アイコンｇ１３に対する操作が行われた場合に、読取制御部５ａは、前記カード画像読取処理の開始操作が行われなかったと判定する。
【００６４】
読取制御部５ａは、前記カード画像読取処理の開始操作が行われたと判定した場合、処理を工程Ｓ２０３へ移行させる。一方、読取制御部５ａは、前記カード画像読取処理の開始操作が行われなかったと判定した場合、前記カード登録処理を前記登録失敗の状態で終了させる。
【００６５】
＜工程Ｓ２０３＞
工程Ｓ２０３において、読取制御部５ａは、画像読取装置１に前記カード画像読取処理を実行させる。その後、読取制御部５ａは処理を工程Ｓ２０４へ移行させる。
【００６６】
即ち、前記メッセージ出力処理が行われた後に、操作装置３ａに対する前記開始操作に応じて、画像読取装置１が前記カード画像読取処理を実行する（Ｓ２０３）。
【００６７】
＜工程Ｓ２０４＞
工程Ｓ２０４において、画像データ処理部５ｅが、工程Ｓ２０３で得られる前記読取データから検索キー情報を抽出する検索キー抽出処理を実行する。
【００６８】
本実施形態において、画像データ処理部５ｅは、１回目の前記検索キー抽出処理において、前記読取データに対する文字認識処理を実行する。さらに、画像データ処理部５ｅは、前記文字認識処理によって得られる文字列の中から、予め定められた項目文字列ｔｘ１と、その項目文字列ｔｘ１に対応する位置に存在する内容文字列ｔｘ２とを、前記検索キー情報として抽出する（図５参照）。
【００６９】
例えば、項目文字列ｔｘ１は、名前、従業員番号、電話番号、メールアドレスまたは所属部門などを表す文字列である。
【００７０】
そして、画像データ処理部５ｅは、前記検索キー情報の抽出に成功した場合、処理を工程Ｓ２０５へ移行させ、前記検索キー情報の抽出に失敗した場合、処理を工程Ｓ２０６へ移行させる。
【００７１】
＜工程Ｓ２０５＞
工程Ｓ２０５において、登録要求部５ｆが、カード登録を要求する処理である登録要求処理を実行する。前記カード登録は、カードＩＤ９００を複数のユーザー情報Ｄｕ０のうちの前記検索キー情報に対応する１つに対応づけることである。
【００７２】
前記登録要求処理において、登録要求部５ｆは、前記カード登録を要求するコマンドをサーバー８へ送信する。前記カード登録を要求するコマンドは、カードＩＤ９００および前記検索キー情報を含む。
【００７３】
さらに、登録要求部５ｆは、前記登録要求処理において、サーバー８から登録成否の応答を受信する。
【００７４】
そして、登録要求部５ｆは、前記カード登録の成功を示す応答をサーバー８から受信した場合に、前記カード登録処理を終了させる。この場合、図２の工程Ｓ１０３の処理が実行される。
【００７５】
一方、登録要求部５ｆは、前記カード登録の失敗を示す応答をサーバー８から受信した場合、処理を工程Ｓ２０６へ移行させる。
【００７６】
＜工程Ｓ２０６＞
工程Ｓ２０６において、条件設定部５ｇが、リトライ条件設定処理を実行する。この工程Ｓ２０６の処理は、画像データ処理部５ｅが前記検索キー情報の抽出に失敗した場合、または、登録要求部５ｆが前記カード登録の失敗を示す応答をサーバー８から受信した場合に実行される。
【００７７】
前記リトライ条件設定処理は、予め定められたリトライ案内画面ｇ２を表示装置３ｂに表示させる処理と、操作装置３ａに対する操作に従って前記検索キー抽出処理のリトライ条件を設定する処理とを含む（図５参照）。
【００７８】
図５に示されるように、リトライ案内画面ｇ２は、工程Ｓ２０３で得られる前記読取データに対応する読取画像ｇ２１を含む。そして、条件設定部５ｇは、操作装置３ａに対する領域指定操作に応じて、読取画像ｇ２１の一部の指定領域ａ０を前記リトライ条件として設定可能である。
【００７９】
例えば、前記領域指定操作は、リトライ案内画面ｇ２に含まれる領域指定アイコンｇ２２に対するタッチ操作と、矩形状の指定領域ａ０の始点と終点とを特定するドラッグ操作とを含む。
【００８０】
また、図５に示されるリトライ案内画面ｇ２は、文字認識アイコンｇ２３、署名抽出アイコンｇ２４、裏面読取アイコンｇ２５、裏返しメッセージｇ２６および中止アイコンｇ２７などを含む。
【００８１】
文字認識アイコンｇ２３が操作されると、条件設定部５ｇは、前記読取データから指定領域ａ０内の画像のみを対象に項目文字列ｔｘ１および内容文字列ｔｘ２を前記検索キー情報として抽出することを示す領域内文字列抽出条件を、前記リトライ条件として設定する。
【００８２】
署名抽出アイコンｇ２４が操作されると、条件設定部５ｇは、前記読取データから指定領域ａ０内の画像のみを対象に署名画像を前記検索キー情報として抽出することを示す領域内署名抽出条件を、前記リトライ条件として設定する。
【００８３】
なお、文字認識アイコンｇ２３または署名抽出アイコンｇ２４に対する操作は、予め定められた２つの候補の中から前記検索キー情報の種類を選択する操作の一例である。この場合、前記検索キー情報の種類の２つの候補は、文字列および署名画像である。
【００８４】
条件設定部５ｇは、操作装置３ａに対する操作に応じて予め定められた２つの候補の中から前記検索キー情報の種類を選択する。
【００８５】
前記署名画像は、例えばユーザーによってＩＤカード９０に手書きされた署名の画像である。ユーザー情報Ｄｕ０が、ユーザーの署名画像の情報を含む場合に、条件設定部５ｇは、前記署名画像を前記検索キー情報の種類の候補として提供する。
【００８６】
裏面読取アイコンｇ２５が操作されると、条件設定部５ｇは、前記カード画像読取処理の対象となったＩＤカード９０の第１面に対し反対側の第２面から画像を読み取ることを示す裏面読取条件を前記リトライ条件として設定する。
【００８７】
裏返しメッセージｇ２６は、原稿台１ａのＩＤカード９０を裏返すことを促すメッセージであり、裏面読取アイコンｇ２５に対応して表示されている。
【００８８】
そして、文字認識アイコンｇ２３または署名抽出アイコンｇ２４が操作された場合に、条件設定部５ｇは、処理を工程Ｓ２０４へ移行させる。これにより、画像データ処理部５ｅは、工程Ｓ２０６で設定された前記リトライ条件に従って前記検索キー抽出処理をさらに実行する（Ｓ２０４）。即ち、画像データ処理部５ｅは、前記読取データから、工程Ｓ２０６で選択された種類の前記検索キー情報を抽出する（Ｓ２０４）。さらに、登録要求部５ｆが前記登録要求処理を実行する（Ｓ２０５）。
【００８９】
また、裏面読取アイコンｇ２５が操作された場合に、条件設定部５ｇは、処理を工程Ｓ２０３へ移行させる。これにより、画像読取装置１は、ＩＤカード９０の前記第２面について、前記カード画像読取処理を再実行する（Ｓ２０３）。さらに、画像データ処理部５ｅは、前記カード画像読取処理の再実行により得られる前記読取データについて前記検索キー抽出処理を実行する（Ｓ２０４）。さらに、登録要求部５ｆが前記登録要求処理を実行する（Ｓ２０５）。
【００９０】
なお、中止アイコンｇ２７が操作された場合、登録要求部５ｆは、前記カード登録処理を終了させる。この場合、前記カード登録処理は失敗に終わり、図２の工程Ｓ１０３の処理は実行されない。
【００９１】
以上に示されるように、画像処理装置１０は、ＩＤカード９０のカードＩＤ９００と予め登録されたユーザー情報Ｄｕ０とを紐付ける前記カード登録の処理を、ユーザーの手間を省いて実行できる。
【００９２】
また、１回目の前記検索キー抽出処理によって前記登録要求処理の成功に繋がる適切な前記検索キー情報が抽出されなかった場合でも、ユーザーは、指定領域ａ０を設定する操作、または、前記検索キー情報の種類を選択する操作などの簡易な操作を操作装置３ａに行うだけでよい。これにより、画像データ処理部５ｅが、前記登録要求処理の成功に繋がるより適切な前記検索キー情報を抽出できる可能性が高まる。
【００９３】
例えば、ユーザー情報Ｄｕ０と関係のある情報と関係のないノイズ情報とが、前記読取画像に雑多に混在することが、適切な前記検索キー情報が抽出されない原因であることが考えられる。この場合、指定領域ａ０が設定されることにより、画像データ処理部５ｅが適切な前記検索キー情報を抽出できる可能性が高まる。
【００９４】
また、ＩＤカード９０の表面に記録された項目文字列ｔｘ１または内容文字列ｔｘ２がかすれなどによって不完全であることが、適切な前記検索キー情報が抽出されない原因であることも考えられる。この場合、前記署名画像が前記検索キー情報の種類として設定されることにより、画像データ処理部５ｅが適切な前記検索キー情報を抽出できる可能性が高まる。
【００９５】
また、ＩＤカード９０の第１面に対応する前記読取画像から適切な前記検索キー情報が抽出されない場合に、ＩＤカード９０の第２面についての前記カード画像読取処理が実行されることにより、画像データ処理部５ｅが適切な前記検索キー情報を抽出できる可能性が高まる。
【００９６】
[応用例]
以上に示された画像処理装置１０が、画像処理装置１０の利用のためのＩＤカード９０とは異なる他のＩＤカード９０について、前記カード登録処理を実行することも考えられる。
【符号の説明】
【００９７】
１        ：画像読取装置
１ａ      ：原稿台
１ｂ      ：光源
１ｃ      ：走査機構
１ｄ      ：イメージセンサー
１ｅ      ：ＡＦＥ
２        ：画像形成装置
３        ：ユーザーインターフェイス装置
３ａ      ：操作装置
３ｂ      ：表示装置
４        ：二次記憶装置
５        ：ＣＰＵ（プロセッサー）
５ａ      ：読取制御部
５ｂ      ：認証要求部
５ｃ      ：認証制御部
５ｄ      ：メッセージ出力部
５ｅ      ：画像データ処理部
５ｆ      ：登録要求部
５ｇ      ：条件設定部
６        ：通信装置
７        ：カードリーダー
８        ：サーバー
１０      ：画像処理装置
５０      ：ＲＡＭ
８０      ：ネットワーク
８１      ：記憶装置
９０      ：ＩＤカード
９１      ：原稿
９２      ：シート
９００    ：カードＩＤ
Ｄｕ０    ：ユーザー情報
ａ０      ：指定領域
ｇ１      ：カード登録案内画面
ｇ１１    ：メッセージ
ｇ１２    ：スキャンアイコン
ｇ１３    ：中止アイコン
ｇ２      ：リトライ案内画面
ｇ２１    ：読取画像
ｇ２２    ：領域指定アイコン
ｇ２３    ：文字認識アイコン
ｇ２４    ：署名抽出アイコン
ｇ２５    ：裏面読取アイコン
ｇ２６    ：裏返しメッセージ
ｇ２７    ：中止アイコン
ｔｘ１    ：項目文字列
ｔｘ２    ：内容文字列
【図１】
2019054371.tif 000003
【図２】
2019054371.tif 000004
【図３】
2019054371.tif 000005
【図４】
2019054371.tif 000006
【図５】
2019054371.tif 000007